(57)【特許請求の範囲】
【請求項１】
内部に内溶液が収納される容器と、この容器の口筒部から上方付勢状態で上下動可能に起立されたノズルと、このノズルの上下動に連係して作動するポンプ機構と、が備えられ、
前記ノズルの基端側にその径方向外方に突設された押下プレートを指で押圧してこのノズルを押し下げることにより、前記ポンプ機構の作用で容器内の内溶液がノズルの先端から噴出されるスプレー容器であって、
前記押下プレートが、指で押圧してノズルを押し下げるときの突出位置と、この突出位置よりも前記ノズルの径方向内方に位置する収納位置と、の間で移動可能となるように、前記押下プレートを前記ノズルに連結する連結機構を備え、
前記ノズルは、径方向外方に張り出す略環状の天板部を備え、
前記天板部には、前記ノズルの起立方向に延びる係合孔が形成され、前記押下プレートには、前記ノズルの起立方向に延びる回転軸が垂設され、
前記連結機構は、前記回転軸を前記係合孔に挿通させて、前記ノズルの起立方向に延びる前記回転軸の中心を回動軸線として前記押下プレートを回動させるように構成され、
前記押下プレートは、前記天板部の上面に摺接した状態で前記回動軸線を中心に回動可能となっていることを特徴とするスプレー容器。
【発明の詳細な説明】
【技術分野】
【０００１】
本発明は、スプレー容器に関する。
【背景技術】
【０００２】
従来のスプレー容器としては、例えば特許文献１のように、点鼻薬等の内溶液を充填した容器と、容器の口筒部に取り付けられた取付キャップと、取付キャップに装着されたポンプ機構と、取付キャップの上方に起立されると共にポンプ機構によって取付キャップの上端から上方に付勢された状態で上下動可能とされたノズルとを備えたものがある。このスプレー容器においては、ノズルをポンプ機構の付勢力に抗して押し下げることにより、容器内の内溶液がポンプ機構の作用によってノズルの先端から噴出するようになっている。
また、ノズルは、略筒状のノズル本体の基端側に、水平方向に延びる押下プレートを形成して構成されており、この押下プレートに手指を押し当てることで、ノズルを押し下げることができるようになっている。なお、この押下プレートはノズル本体に一体に形成されている。
【先行技術文献】
【特許文献】
【０００３】
【特許文献１】特開平９−１０３４８９号公報
【発明の概要】
【発明が解決しようとする課題】
【０００４】
ところで、この種のスプレー容器は、例えば携行して外出時において使用すること等があるため、その小型化の要求が高まっている。
しかしながら、上記従来のスプレー容器においては、押下プレートがノズル本体に一体に形成されているため、小型化を図ろうとすると、使用時において手指を押し当てる押下プレートの面積が不十分となり、押下げしにくくなるという問題がある。一方、ノズルを押し下げやすくするように押下プレートを大きく形成すると、スプレー容器の小型化が困難となる。
【０００５】
本発明は、前述の事情に鑑みてなされたものであって、小型化を図りながら容易に内溶液を噴出させることができるスプレー容器を提供することを目的とする。
【課題を解決するための手段】
【０００６】
この課題を解決するために、本発明のスプレー容器は、内部に内溶液が収納される容器と、この容器の口筒部から上方付勢状態で上下動可能に起立されたノズルと、このノズルの上下動に連係して作動するポンプ機構と、が備えられ、前記ノズルの基端側にその径方向外方に突設された押下プレートを指で押圧してこのノズルを押し下げることにより、前記ポンプ機構の作用で容器内の内溶液がノズルの先端から噴出されるスプレー容器であって、前記押下プレートが、指で押圧してノズルを押し下げるときの突出位置と、この突出位置よりも前記ノズルの径方向内方に位置する収納位置と、の間で移動可能となるように、前記押下プレートを前記ノズルに連結する連結機構を備え、前記ノズルは、径方向外方に張り出す略環状の天板部を備え、前記天板部には、前記ノズルの起立方向に延びる係合孔が形成され、前記押下プレートには、前記ノズルの起立方向に延びる回転軸が垂設され、前記連結機構は、前記回転軸を前記係合孔に挿通させて、前記ノズルの起立方向に延びる前記回転軸の中心を回動軸線として前記押下プレートを回動させるように構成され、前記押下プレートは、前記天板部の上面に摺接した状態で前記回動軸線を中心に回動可能となっていることを特徴とする。
【０００７】
この構成のスプレー容器を使用する際には、押下プレートをノズルに対して移動させて突出位置に配置すればよい。この状態においては、押下プレートを収納位置に配置した場合と比較して、ノズルから突出する押下プレートの突出長さが長くなるため、指を押し当てる押下プレートの面積を十分に確保することができる。したがって、容器やノズルの小型化を図っても容易に内溶液を噴出させることが可能となる。
一方、スプレー容器を携行する際には、押下プレートを移動させて収納位置に配置しておけばよい。この状態においては、押下プレートを突出位置に配置した場合と比較して、ノズルから突出する押下プレートの突出長さが短くなるため、スプレー容器の小型化を図って携行性を向上させることができる。なお、スプレー容器を出荷する際にも押下プレートを収納位置に配しておくことで、より多くのスプレー容器を同時に出荷することが可能となる。
【発明の効果】
【０００８】
本発明によれば、連結機構を設けることで押下プレートの突出長さを変えることができるため、スプレー容器の小型化を図ると同時に内溶液を容易に噴出させることが可能となる。
【図面の簡単な説明】
【０００９】
【図１】本発明の実施形態を説明するための参考例１である鼻薬用容器を示しており、（ａ）は上面図、（ｂ）は半体切断側面図である。
【図２】本発明の実施形態を説明するための参考例２である鼻薬用容器において、押下プレートを収納位置に配した状態を示しており、（ａ）は上面図、（ｂ）は半体切断側面図である。
【図３】本発明の実施形態を説明するための参考例２である鼻薬用容器において、押下プレートを突出位置に配した状態を示しており、（ａ）は上面図、（ｂ）は半体切断側面図である。
【図４】本発明の実施形態である鼻薬用容器を示しており、（ａ）は上面図、（ｂ）は半体切断側面図である。
【発明を実施するための形態】
【００１０】
以下に、本発明の実施形態について添付した図面を参照して説明する。図１に、本発明を説明するための参考例１である鼻薬用容器（スプレー容器）Ａを示す。
この鼻薬用容器Ａは、容器１と、この容器１の口筒部２に被着される取付キャップ１０と、取付キャップ１０上に配されて上方付勢状態で上下動可能に起立されたノズル２０と、取付キャップ１０に装着されると共にノズル２０の上下動に連係して作動するポンプ機構３０と、を備えている。口筒部２は、液状の鼻薬（内溶液）が収納される容器１の胴部３から軸線Ｌ１に沿って上方に延びるように突出しており、その外周面に雄ネジ２Ａが形成されている。
【００１１】
取付キャップ１０は、口筒部２の雄ネジ２Ａに螺合可能な雌ネジ１１Ａが形成された被着筒部１１と、この被着筒部１１の外周端側の上端に連設されて軸線Ｌ１に沿って上方に向けて延びる案内筒部１２と、被着筒部１１の内周端側の上端部に連設されて軸線Ｌ１に沿って上方に向けて延びる係合筒部１３と、を備えている。
案内筒部１２は、その外周面が被着筒部１１の外周面と略同一の径寸法となるように形成されているが、被着筒部１１よりも薄肉に形成されている。また、係合筒部１３は、その内周面が前記雌ネジ１１Ａの頂部と略同一の径寸法と略同等に形成されているが、被着筒部１１よりも薄肉に形成されている。そして、これら案内筒部１２及び係合筒部１３は相互に離間するように形成されている。さらに、係合筒部１３の先端には、その内周端から径方向内方に突出する環状の係止部１３Ａが形成されており、この係止部１３Ａは口筒部２の上端面の上方に配されるようになっている。
【００１２】
ここで、口筒部２の上端面には、その周方向にわたって環状のパッキンＰが配されており、このパッキンＰと前記係止部１３Ａとの間には、後述するポンプ機構３０のシリンダー３１を固定するための固定部材１４が取り付けられている。
この固定部材１４は、下端の外周端から径方向外方に突出してパッキンＰと前記係止部１３Ａとの間に嵌合される嵌合突起14Ａを有して軸線Ｌ１に沿って上方に延びる第１筒部14Ｂと、この第１筒部14Ｂの上端から径方向内方に延び、第１筒部14Ｂとの間に隙間を空けて軸線Ｌ１に沿って下方に延びる第２筒部１４Ｃと、を備えており、全体として平面視で略環状に形成されている。
【００１３】
ポンプ機構３０は、従来公知のものであり、シリンダー３１内に上下摺動可能に設けられたピストン部材（不図示）を設けると共に、これらピストン部材とシリンダー３１内の下端との間にコイルスプリング（不図示）を設けて構成されている。
シリンダー３１の上端部は、固定部材１４の第１筒部14Ｂと第２筒部１４Cとの間に嵌合されており、シリンダー３１の下端には、吸い込みパイプ３２が垂設されている。また、ピストン部材は、コイルスプリングによってシリンダー３１の上方に付勢されている。そして、このポンプ機構３０では、ピストン部材をコイルスプリングの付勢力に抗して押し下げることで、容器１を構成する胴部３に収納された鼻薬を吸い上げるようになっている。
さらに、ピストン部材の上端にはステム３３が嵌合されており、ステム３３の外周面は固定部材１４の第２筒部１４Cの内周面に当接している。したがって、このステム３３はピストン部材の上下動に連係して第２筒部１４Cの内周面に対して上下方向に摺動することになる。また、第２筒部１４Cよりも下方に位置するステム３３の下端部には、その外周面から径方向外方に突出して第２筒部１４Cの下端に係止される係止突起３３Ａが形成されており、上方付勢状態とされたピストン部材がシリンダー３１から上方に抜け出ることを防止している。
【００１４】
ノズル２０は、取付キャップ１０の直上に配される外筒部２１と、外筒部２１の上端に形成される略環状の天板部２２と、天板部２２の内周端から軸線Ｌ１に沿って上方に延びるノズル本体２３と、天板部２２の内周端から軸線Ｌ１に沿って下方に延びる内筒部２４と、を備えている。
外筒部２１は、その外径が取付キャップ１０の案内筒部１２の内径と略同一の径寸法とされて、ノズル２０が取付キャップ１０に対して軸線Ｌ１方向に摺動可能となるように形成されている。
ノズル本体２３は、略筒状に形成され、その内部空間が内筒部２４に連通している。また、ノズル本体２３の先端には噴出孔２３Ａが穿孔されており、さらに、内筒部２４はノズル本体２３と同軸上に配置されている。そして、内筒部２４の内径はステム３３の上端部の外径と略同一の径寸法となっており、ステム３３の上端部の外周面は内筒部２４の内周面に摺動可能に嵌合している。なお、ノズル本体２３の内径はステム３３の上端部の外径よりも小さく形成されている。また、ノズル本体２３内の先端部には、図示されないノズルチップが設けられている。
【００１５】
したがって、以上のように構成されたノズル２０を下方に押し下げた際には、ステム３３の上端がノズル本体２３の下端に当接するまで、外筒部２１が案内筒部１２の内周面に対して軸線Ｌ１に沿って下方に摺動し、内筒部２４がステム３３の外周面に対して、軸線Ｌ１に沿って下方に摺動する。そして、ステム３３の上端がノズル本体２３の下端に当接した状態から、さらにノズル２０を下方に押し下げた際には、ステム３３及びピストン部材がノズル２０と共にコイルスプリングの付勢力に抗して下方に押し下げられ、前述したポンプ機構３０の作用で容器１内の鼻薬がノズル２０の噴出孔２３Ａから噴出されることになる。
【００１６】
このノズル２０の天板部２２の上面には、略板状に形成された連結板４１が重ねて配されており、連結板４１には、その厚さ方向に貫通する挿通孔４１Ａが形成されている。そして、連結板４１は、その挿通孔４１Ａにノズル本体２３を挿通させることで、挿通孔４１Ａがノズル本体２３の基端に嵌合して天板部２２の上面に固定されるようになっている。また、連結板４１は、平面視で略正方形状に形成されており、平面視略円形状に形成された天板部２２の外周端よりも内側に配されるようになっている。
この連結板４１の相対する２つの辺には、それぞれヒンジ機構４２，４２を介して略板状の押下プレート４３，４３が１つずつ連結されているが、これら連結板４１及び一対の押下プレート４３，４３は同一材料によって一体に形成されている。そして、各ヒンジ機構４２，４２は、天板部２２の外周端よりも内側に配されており、ノズル２０の起立方向（軸線Ｌ１方向）に直交して延びる回動軸線Ｌ２を中心として押下プレート４３，４３を連結板４１に対して回動させるように構成されている。すなわち、この参考例１においては、押下プレート４３，４３がヒンジ機構４２，４２及び連結板４１を介してノズル２０に連結されており、これらヒンジ機構４２，４２及び連結板４１が、押下プレート４３，４３をノズル２０に連結する連結機構をなしている。
【００１７】
一対の押下プレート４３，４３は、ノズル２０の基端側においてその径方向外方に突設された状態において、これを指で下方に押圧することでノズル２０を押し下げるものである。そして、各押下プレート４３，４３は、前述のヒンジ機構４２によって、指で押圧してノズル２０を押し下げるときの突出位置（図１において符号４３で示す二点鎖線部分）と、この突出位置よりもノズル２０の径方向内方に位置する収納位置（図１において符号４３で示す実線部分）との間で移動可能となっている。
なお、この参考例１では、各押下プレート４３，４３が突出位置に配された状態において、押下プレート４３，４３の基端部が天板部２２の上面に当接するため、押下プレート４３，４３の面方向が天板部２２の上面と略一致する、すなわち軸線Ｌ１に直交する方向と略一致することになる。また、この状態においては、各押下プレート４３，４３の先端部が天板部２２の外周端、取付キャップ１０の外周端、及び、容器１を構成する胴部３の外周面よりも径方向外方に突出することになる。
そして、この参考例１では、各押下プレート４３，４３が収納位置に配された状態において、天板部２２の外周端よりも径方向内方に配されることになる。すなわち、この状態においては、各押下プレート４３，４３の全体が天板部２２の上に収納され、各押下プレート４３，４３は軸線Ｌ１に沿って上方に延びるようにノズル２０の起立方向に沿って配されている。
【００１８】
なお、この鼻薬用容器Ａは、取付キャップ１０及びノズル２０をこれらの上方から覆う有底筒状のオーバーキャップ５０も備えており、その外形寸法は胴部３と略同等となっている。すなわち、このオーバーキャップ５０を取り付ける際には、一対の押下プレート４３，４３を収納位置に配しておけばよい。
なお、オーバーキャップ５０の開口端には、取付キャップ１０の被着筒部１１の下端に係合する係合部５０Ａが形成されており、オーバーキャップ５０が不意に外れてしまうことを防止している。
【００１９】
以上のように構成された鼻薬用容器Ａを使用して点鼻する際には、オーバーキャップ５０を取り外し、一対の押下プレート４３，４３を収納位置からノズル２０に対して回動させて突出位置に配すればよい。そして、この状態において、ノズル本体２３の先端部分を鼻孔直下に位置させ、或いは鼻孔内に挿入して、各押下プレート４３，４３に手指を押し当てることでノズル２０を押し下げればよい。これにより、ポンプ機構３０の作用で容器１内の鼻薬がノズル本体２３の噴出孔２３Ａから鼻孔内に噴出されることになる。
一方、この鼻薬用容器Ａを携行する際には、一対の押下プレート４３，４３を突出位置からノズル２０に対して回動させて収納位置に配すると共に、オーバーキャップ５０を取り付ければよい。
【００２０】
以上説明したように、参考例１による鼻薬用容器Ａによれば、押下プレート４３，４３を突出位置に配置しておくことで、収納位置に配置した場合と比較してノズル２０から径方向外方に突出する押下プレート４３，４３の突出長さが長くなるため、指で押し当てる押下プレート４３，４３の面積を十分に確保することができる。したがって、容器１やノズル２０の小型化、特に小径化を図っても点鼻を容易に行うことが可能となる。また、容器１やノズル２０の小型化を図ることで、鼻薬用容器Ａの使用時において周囲の人に気づかれることも回避することができる。
また、押下プレート４３，４３を収納位置に配置しておくことで、突出位置に配置した場合と比較して、ノズル２０から径方向外方に突出する押下プレート４３，４３の長さを短くなるため、鼻薬用容器Ａの小型化を図って携行性を向上させることができる。なお、この鼻薬用容器Ａの出荷時においても、押下プレート４３，４３を収納位置に配置しておくことで、より多くの鼻薬用容器Ａを同時に出荷することが可能となる。
さらに、押下プレート４３，４３を収納位置に配置した状態においては、押下プレート４３，４３が、ノズル２０を構成する天板部２２の外周端や、取付キャップ１０の外周端、容器１を構成する胴部３の外周面から径方向外方に突出しないため、また、オーバーキャップ５０によって押下プレート４３，４３が覆い隠されるため、押下プレート４３，４３が携行時や出荷時における妨げになることを防止して、携行時や出荷時において鼻薬用容器Ａを容易に取り扱うことが可能となる。
【００２１】
次に、本発明を説明するための参考例２である鼻薬用容器Ｂについて説明する。なお、参考例１と同一の構成要素には、同一の符号を付して詳細な説明を省略する。
図２及び図３に示すように、参考例２の鼻薬用容器（スプレー容器）Ｂは、参考例１の鼻薬用容器Ａと同様に、容器１、取付キャップ６０、ノズル７０、ポンプ機構８０及びオーバーキャップ５０を備えており、取付キャップ６０は、参考例１の取付キャップ１０及び固定部材１４を一体に形成したものと同等の機能を有している。
すなわち、ポンプ機構８０を構成するシリンダー８１の上端部は、パッキンＰと取付キャップ６０の係合筒部６４との間に嵌合されるようになっている。また、ポンプ機構８０を構成するピストン部材（不図示）の上端に嵌合されるステム部８３は、取付キャップ６０の係合筒部６４の内周端に対して上下方向に摺動可能となっている。さらに、ステム部８３に形成された係止突起８３Ａは、係合筒部６４の上端部において係止されており、これによって上方付勢状態とされたポンプ機構８０のピストン部材がシリンダー８１から上方に抜け出ることを防止している。
【００２２】
また、この鼻薬用容器Ｂを構成するノズル７０は、参考例１のノズル２０と同様に、外筒部７１、天板部７２、ノズル本体７３及び内筒部７４を備えているが、ノズル本体７３の中心軸線Ｌ３が内筒部７４の中心軸線をなす軸線Ｌ１から径方向外方にずれた位置に配置されている。ただし、ノズル本体７３及び内筒部７４の内部空間は相互に連通している。そして、ノズル７０の内筒部７４は、ステム部８３の上端部の外径と略同一の径寸法とされており、ステム部８３の上端部の外周面が内筒部７４の内周面に摺動可能に嵌合している。また、この内筒部７４の下端は、これとの摺接部分よりも下方に形成されたステム部８３の段差面８３Ｂに当接している。
したがって、この構成のノズル７０を下方に押し下げた際には、ステム部８３及びピストン部材がノズル７０と共にコイルスプリングの付勢力に抗して下方に押し下げられ、前述したポンプ機構８０の作用で容器１内の鼻薬がノズル７０の噴出孔７３Ａから噴出されることになる。
【００２３】
そして、このノズル７０の天板部７２の外周端には、参考例１と同様のヒンジ機構４２を介して略板状の押下プレート４５が１つ連結されており、この参考例２においては、ヒンジ機構４２が回動軸線Ｌ２を中心として押下プレート４５を天板部７２に対して回動させる連結機構をなしている。また、ヒンジ機構４２は、天板部７２の外周端のうちノズル本体７３と共に軸線Ｌ１を挟み込む位置に配されている。すなわち、押下プレート４５は、天板部７２の外周端のうちノズル本体７３から最も離れた位置に取り付けられている。
この押下プレート４５は、平面視で天板部７２と略同一の外径寸法を有する略円形状に形成されており、その先端部には先端に向けて開口する平面視円弧状の切欠部４５Ａが形成されている。すなわち、押下プレート４５は、平面視で略円弧状に形成されている。なお、切欠部４５Ａの内径寸法は、ノズル本体７３の基端の外径寸法と略同一、或いは同外径寸法よりも僅かに小さくなっている。
【００２４】
この押下プレート４５は、前述のヒンジ機構４２によって天板部７２の上に位置する収納位置（図２）と、天板部７２の外周端から径方向外方に突出する突出位置（図３）との間で移動可能となっている。そして、押下プレート４５が収納位置に配されている状態においては、押下プレート４５の一方の主面４５Ｂが隙間を介して天板部７２の上面に対向配置され、また、ノズル本体７３の基端が押下プレート４５の切欠部４５Ａ内に入り込むことになる。なお、切欠部４５Ａの内径寸法がノズル本体７３の基端の外径寸法よりも僅かに小さい場合には、ノズル本体７３の基端が切欠部４５Ａに嵌合するため、押下プレート４５をノズル本体７３に固定することができる。
【００２５】
そして、押下プレート４５の基端には、その他方の主面４５Ｃから垂直に延びる回動規制突起４６が形成されている。この回動規制突起は、図２に示すように、押下プレート４５を収納位置に配した状態において、軸線Ｌ１に沿って上方に延びるように形成されており、ヒンジ機構４２を形成した天板部７２の外周端の内側に配されるようになっている。
したがって、押下プレート４５を収納位置に配した状態においては、参考例１と同様にオーバーキャップ５０を取り付けることができる。
また、押下プレート４５を収納位置から１８０度回動して、図３に示すように、突出位置に配した状態においては、前述の回動規制突起４６がノズル７０を構成する外筒部７１の外周面に当接して、押下プレート４５の面方向が天板部７２の上面と略一致することになる。なお、この押下プレート４５の外周端には、回動規制突起４６と同じ向きに突出するリブ４７が回動規制突起４６に連ねて形成されており、鼻薬用容器Ｂの使用時に手指を押下プレート４５に押し当てても押下プレート４５が変形することを防止している。
【００２６】
以上説明したように、参考例２による鼻薬用容器Ｂによれば、参考例１の鼻薬用容器Ａと同様の効果を奏する。
また、押下プレート４５を収納位置に配した状態においては、押下プレート４５の一方の主面４５Ｂが隙間を介して天板部７２の上面に対向配置されるため、オーバーキャップ５０を取り付けなくても、鼻薬用容器Ｂの携行時や出荷時において押下プレート４５が他の物品等に引っかかる等して回動してしまうことを抑制できる。
さらに、ノズル本体７３を軸線Ｌ１から径方向外方にずれた位置に配し、かつ、ヒンジ機構４２を天板部７２の外周端のうちノズル本体７３と共に軸線Ｌ１を挟み込む位置に配しているため、押下プレート４５の基端から切欠部４５Ａまでの長さを拡大することができる。すなわち、手指で押し当てる押下プレート４５の面積をさらに拡大することができるため、点鼻をさらに容易に行うことが可能となる。
【００２７】
次に、本発明の実施形態である鼻薬用容器Ｃについて説明する。なお、参考例１と同一の構成要素には、同一の符号を付して詳細な説明を省略する。
図４に示すように、本実施形態の鼻薬用容器（スプレー容器）Ｃは、参考例１の鼻薬用容器Ａと同様の容器１、取付キャップ１０、ノズル２０、ポンプ機構３０及びオーバーキャップ５０を備えている。
そして、ノズル２０を構成する天板部２２には、その厚さ方向（軸線Ｌ１方向）に貫通する一対の係合孔２２Ａ，２２Ａが形成されており、これら一対の係合孔２２Ａ，２２Ａは、軸線Ｌ１を径方向に挟んで相互に反対となる位置に形成されている。
【００２８】
また、天板部２２の上面には、略円弧状に形成された一対の押下プレート４８，４８が重ねて配されており、各押下プレート４８，４８は、円環状の天板部を周方向に４つ等分割した形状と略同等に形成されている。また、各押下プレート４８の周方向の一端部には、天板部２２の係合孔に挿通する筒状の回転軸４８Ａが垂設されており、各回転軸４８Ａの下端には、天板部２２の各係合孔２２Ａの開口周縁に係合して回転軸４８Ａの抜け止めをなす係合突起４８Ｂが形成されている。
これら回転軸４８Ａ及び係合孔２２Ａは、ノズル２０の起立方向（軸線Ｌ１方向）に延びて回転軸４８Ａの中心をなす回動軸線Ｌ４を中心として各押下プレート４８を天板部２２に対して回動させる回動機構４９を構成しており、この回動機構４９が押下プレートをノズル２０に連結する連結機構をなしている。
なお、以上のようにして天板部２２に取り付けられる各押下プレート４８は、軸線Ｌ１を径方向に挟んで相互に反対となる位置に配することが可能となる。
【００２９】
そして、各押下プレート４８は、この回動機構４９によって、指で押圧してノズル２０を押し下げるときの突出位置（図４において符号４８で示す二点鎖線部分）と、この突出位置よりもノズル２０の径方向内方に位置する収納位置（図４において符号４８で示す実線部分）との間で移動可能となっている。
なお、この実施形態では、各押下プレート４８が天板部２２の上面に摺接した状態で回動軸線Ｌ４を中心に回動可能となっている。また、これら一対の押下プレート４８，４８を収納位置に配した状態においては、天板部２２の外周端よりも径方向内方に配されることになる。すなわち、この状態においては、各押下プレート４８の全体が天板部２２の上面に重ねて配されるため、参考例１と同様にオーバーキャップ５０を取り付けることができる。
【００３０】
以上説明したように、本実施形態による鼻薬用容器Ｃによれば、参考例１の鼻薬用容器Ａと同様の効果を奏する。
また、各押下プレート４８を収納位置に配した状態においては、その全体が天板部２２の上面に重ねて配されるため、オーバーキャップ５０を取り付けなくても、押下プレート４８が他の物品等に引っかかることを確実に防止でき、鼻薬用容器Ｂの携行時や出荷時における取り扱いがさらに容易にとなる。
【００３１】
以上、本発明の実施形態である鼻薬用容器Ｃについて説明したが、本発明の技術的範囲はこれに限定されることはなく、本発明の技術的思想を逸脱しない範囲で適宜変更可能である。
すなわち、押下プレート４８は、回動機構４９によりノズル２０に対して回動するようにノズル２０に連結されるとしたが、少なくともノズル２０に対して突出位置と収納位置との間で移動可能となっていればよい。
【００３２】
また、押下プレート４８の突出位置及び収納位置は、上述した実施形態に限ることはなく、少なくとも押下プレートの収納位置が突出位置よりも径方向内方に位置していればよい。
さらに、上記実施形態においては、鼻薬を収納した鼻薬用容器Ｃについて説明したが、これに限ることはなく、本発明は他の薬用液等の内溶液を充填したスプレー容器に適用することができる。また、本発明のスプレー容器は点鼻以外の用途でも使用することが可能である。
【００３３】
なお、本実施形態においては、押下プレート４８が、ノズル２０とは別個の部材によって形成されるとしたが、これに限ることはなく、例えばノズル２０に一体に形成するとしても構わない。この場合には、例えば天板部２２の外周端と押下プレート４８とを参考例２と同様のヒンジ機構４２により連結すればよい。
また、本実施形態においては、押下プレート４８が一対形成されるとしたが、少なくとも１つだけ形成されていればよい。
【産業上の利用可能性】
【００３４】
小型化を図ると同時に点鼻も容易に行うことが可能なスプレー容器を提供することができる。
【符号の説明】
【００３５】
１  容器
２  口筒部
２０  ノズル
３０  ポンプ機構
４８  押下プレート
４９  回動機構
Ｃ  鼻薬用容器（スプレー容器）
Ｌ４  回動軸線
【図１】
0005461511.tif 000002
【図２】
0005461511.tif 000003
【図３】
0005461511.tif 000004
【図４】
0005461511.tif 000005